(57)【要約】【課題】電源復帰動作の効率化を図る。【解決手段】開閉部の開閉に応じて入切されるスイッチが閉状態となった場合、または、負荷出力を稼働させる動作モードとなった場合には、負荷への電源供給を行い、前記スイッチが開状態となった場合、または、負荷出力を停止させる動作停止モードとなった場合には、負荷への電源供給を停止するコンバータと、前記コンバータの停止時に、電源供給側のコンデンサの電荷を放電させる放電回路と、前記放電回路における電圧に基づいて、前記放電回路における前記放電が完了したことを検出する放電完了検出手段と、前記スイッチが閉状態となった際、または、前記動作停止モードを終了して前記動作モードに切替わる際に、前記放電完了検出手段が前記コンデンサの放電が完了したことを検出していれば、前記電源供給側のコンバータの稼働を復帰させる電源復帰手段と、を備えた。【選択図】図２
2018023269.tif 000002
【特許請求の範囲】
【請求項１】
開閉部の開閉に応じて入切されるスイッチが閉状態となった場合、または、負荷出力を稼働させる動作モードとなった場合には、負荷への電源供給を行い、前記スイッチが開状態となった場合、または、負荷出力を停止させる動作停止モードとなった場合には、負荷への電源供給を停止するコンバータと、
前記コンバータの停止時に、電源供給側のコンデンサの電荷を放電させる放電回路と、
前記放電回路における電圧に基づいて、前記放電回路における前記放電が完了したことを検出する放電完了検出手段と、
前記スイッチが閉状態となった際、または、前記動作停止モードを終了して前記動作モードに切替わる際に、前記放電完了検出手段が前記コンデンサの放電が完了したことを検出していれば、前記電源供給側のコンバータの稼働を復帰させる電源復帰手段と、
を備えた電気機器。
【請求項２】
前記スイッチの開閉状態と、前記放電回路における電圧とに基づいて、前記放電回路の異常を検出する異常検出手段と、
前記異常検出手段が前記異常を検出すると、当該異常を通知する通知手段と、
を備えた請求項１に記載の電気機器。
【請求項３】
前記異常検出手段は、前記スイッチの開閉状態によらず、前記放電回路における電圧がＨＩＧＨ状態である際に、前記放電回路が電気的にショートしていることを検出し、
前記通知手段は、前記放電回路がショートしている旨を表示部にて表示通知する、
請求項２に記載の電気機器。
【請求項４】
前記異常検出手段は、前記スイッチの開閉状態によらず、前記放電回路における電圧がＬＯＷ状態である際に、前記放電回路が電気的にオープンとなっていることを検出し、
前記通知手段は、前記放電回路がオープンとなっている旨を表示部にて表示通知する、
請求項２または３に記載の電気機器。
【請求項５】
開閉部の開閉に応じて入切されるスイッチが閉状態となった場合、または、負荷出力を稼働させる動作モードとなった場合には、負荷への電源供給を行い、前記スイッチが開状態となった場合、または、負荷出力を停止させる動作停止モードとなった場合には、負荷への電源供給を停止するコンバータと、
前記コンバータの停止時に、電源供給側のコンデンサの電荷を放電させる放電回路と、
を備えた電気機器で実行される電源管理方法であって、
前記放電回路における電圧に基づいて、前記放電回路における前記放電が完了したことを検出する放電完了検出工程と、
前記スイッチが閉状態となった際、または、前記動作停止モードを終了して前記動作モードに切替わる際に、前記放電完了検出工程にて前記コンデンサの放電が完了したことを検出していれば、前記電源供給側のコンバータの稼働を復帰させる電源復帰工程と、
を含む電源管理方法。
【発明の詳細な説明】
【技術分野】
【０００１】
本発明は、電気機器および電源管理方法に関する。
【背景技術】
【０００２】
従来一般的な画像形成装置においては、電源システム（電源管理装置）の出力端や電力供給先モジュールである画像形成部（負荷回路）には、供給電源を安定化させることを目的として、コンデンサが接続されている。
【０００３】
また、一般的な画像形成装置においては、開閉部などの開閉に連動して電源を負荷回路に繋ぐインターロックスイッチが設けられている。インターロックスイッチは、開閉部の開放に応じて電源からの電力を負荷回路へ出力するスイッチをオフすることで電源を切断し、開閉部の閉鎖に応じてスイッチをオンすることで電源からの電力を負荷回路へ出力する。
【０００４】
しかし、電源を負荷回路に繋ぐインターロックスイッチを画像形成装置の開閉部の開放に連動してオフすることで電源が切断されたときに、電源が供給されていた負荷回路におけるコンデンサには残留電荷が生じる。その後、開閉部が閉じられてインターロックスイッチがオンとなって電源が投入されたときに、残留電荷によって電力供給先に突入電流が発生する場合がある。この突入電流は、電源電圧降下による電力供給先の誤動作、インターロックスイッチ等の回路要素の損傷の原因となることがある。
【０００５】
そこで従来技術として、このような突入電流の影響を防止するための技術が開示されている。例えば特許文献１では、再スイッチオン時の突入電流を抑制する目的で、電流ライン上に接続したトランジスタの抵抗値を高抵抗から低抵抗に変化させて、再スイッチオン時の突入電流を抑制する技術が開示されている。
【０００６】
また、特許文献２、３には、開閉部の開放に連動するリレーオフにより供給電源が切断された際に、残留電荷を放電させる放電回路に関する技術が開示されている。当該放電回路によって残留電荷を放電させておくことにより、電源再投入時における突入電流の発生を防ぐことができる。
【発明の概要】
【発明が解決しようとする課題】
【０００７】
しかしながら従来技術においては、放電回路による放電が完了したか否かが検出されていなかった。従って、画像形成部への電源供給を復帰する際に、放電が十分に行われ突入電流の影響が十分低減されたと考えられる分だけ待ち時間をおいた後に、電源供給を再開する必要があった。つまり従来技術では、放電が完了しているにも関わらず、予め定められた待ち時間が経過するまでは電源供給を再開しない等、電源復帰動作に改良の余地があった。
【０００８】
本発明は、上記に鑑みてなされたものであって、電源復帰動作の効率化を図ることができる電気機器および電源管理方法を提供するものである。
【課題を解決するための手段】
【０００９】
上述した課題を解決し、目的を達成するために、本発明は、開閉部の開閉に応じて入切されるスイッチが閉状態となった場合、または、負荷出力を稼働させる動作モードとなった場合には、負荷への電源供給を行い、前記スイッチが開状態となった場合、または、負荷出力を停止させる動作停止モードとなった場合には、負荷への電源供給を停止するコンバータと、前記コンバータの停止時に、電源供給側のコンデンサの電荷を放電させる放電回路と、前記放電回路における電圧に基づいて、前記放電回路における前記放電が完了したことを検出する放電完了検出手段と、前記スイッチが閉状態となった際、または、前記動作停止モードを終了して前記動作モードに切替わる際に、前記放電完了検出手段が前記コンデンサの放電が完了したことを検出していれば、前記電源供給側のコンバータの稼働を復帰させる電源復帰手段と、を備えたことを特徴とする。
【発明の効果】
【００１０】
本発明によれば、電源復帰動作の効率化を図ることができる電気機器および電源管理方法を提供することができるという効果を奏する。
【図面の簡単な説明】
【００１１】
【図１】図１は、本実施形態の画像形成装置の構成の概要を示す図である。
【図２】図２は、画像形成装置の電源供給回路を示す概略構成図である。
【図３】図３は、カバーが開かれた際およびカバーが閉じられた際の動作を示すタイムチャートである。
【図４】図４は、カバーが閉じられた際の回路動作について説明する図である。
【図５】図５は、カバーが開かれた際の回路動作について説明する図である。
【図６】図６は、放電回路がショート破損している場合の動作を示すタイムチャートである。
【図７】図７は、放電回路がオープン破損している場合の動作を示すタイムチャートである。
【発明を実施するための形態】
【００１２】
以下に添付図面を参照して、電気機器および電源管理方法の実施形態を詳細に説明する。以下の実施形態では、本発明の電気機器として画像形成装置を適用した例を示すが、本発明にかかる電気機器は画像形成装置に限定されるものではなく、その他の電気機器に適用してもよい。
【００１３】
図１は、本実施形態に係る画像形成装置１０００の構成の概要を示す図である。画像形成装置１０００は、コピー、プリンタ、ファクシミリ等の機能による処理を要求してユーザーが行うジョブの入力を受付け、ジョブの指示に従い紙（印刷）出力等の画像出力処理を行う。
【００１４】
画像形成装置１０００は、図１に示すように、画像形成部２００、自動原稿送り装置５２、ステープラとシフトトレイ付きのフィニッシャ５３、両面反転ユニット５４、拡張給紙トレイ５５、大容量給紙トレイＬＣＴ５６、１ビン排紙トレイ５７、インサートフィーダ５８の各ユニットを有する。
【００１５】
画像形成部２００は、原稿を読取るスキャナ部と、光書き込み部、感光体、現像部等の要素からなる電子写真方式によりプリント出力を行うプリンタエンジンと、給紙部等を備えている。
【００１６】
また、画像形成部２００は、機器全体を制御するためのコントローラ３０（図２参照）を有する。コントローラ３０は、ジョブの入力を受付け、ジョブの指示に応じて紙（印刷）出力等を行わせるため、画像出力処理系に係る各要素部を一元管理しその動作を制御し、また、前記各要素が適正に動作するよう、機器条件等の保守、管理をする。
【００１７】
上記コントローラ３０は、画像形成部２００内に設けたコントローラボードに搭載したコンピュータによって構成することができる。このコンピュータは、ＣＰＵ（Central  Processing  Unit）と、ＣＰＵの制御下で動作するＲＯＭ（Read  Only  Memory）、ＤＲＡＭ（Dynamic  Random  Access  Memory）等を構成要素とする。
【００１８】
上記ＲＯＭは、プリンタエンジンや給紙部の動作を制御し、またプリント出力に用いる画像データを処理するときにＣＰＵによって使用されるプログラムやデータ等を保存するメモリである。なお、本コンピュータのＣＰＵが、後述する電源供給回路の動作に係るデータ（信号）処理を担う場合には、このデータ処理用のプログラム等を上記ＲＯＭに保存する。
【００１９】
また、上記ＤＲＡＭは、ＣＰＵが上記プログラムを駆動することによって生成されるデータ等を一時的に保存するメモリ、或いはプログラムの駆動に必要なデータを保存するワークメモリとして利用するメモリである。
【００２０】
次に、画像形成装置１０００の電源供給回路について説明する。図２は、画像形成装置１０００の電源供給回路を示す概略構成図である。画像形成装置１０００は、画像形成部２００に対して電源供給を行う電源管理装置１００を備えている。
【００２１】
まず、画像形成部２００側の構成について説明する。図２に示すように、画像形成部２００は、ダイオード２５と、スイッチ２６と、負荷回路２７と、コンデンサ２８と、コントローラ３０と、を主に備えている。スイッチ２６とダイオード２５とは並列に接続されている。また、負荷回路２７とコンデンサ２８とは並列に接続されている。なお、コントローラ３０には、スイッチ２６の他、操作表示部３１や通信インタフェース（通信Ｉ／Ｆ）３２が接続されている。
【００２２】
スイッチ２６は、画像形成部２００のカバー４０の開閉状態を検知するためのインターロックスイッチである。カバー４０は、上述した自動原稿送り装置５２、フィニッシャ５３、両面反転ユニット５４、拡張給紙トレイ５５、大容量給紙トレイＬＣＴ５６、１ビン排紙トレイ５７、インサートフィーダ５８の内部を開放するための開閉部である。また、カバー４０は、トナーカートリッジの出し入れ時等に画像形成部２００の内部を開放するためのカバーである。カバー４０が開放されると、スイッチ２６は開状態（オープン）となる。また、カバー４０が閉じられると、スイッチ２６は閉状態（クローズ）となる。
【００２３】
尚、ここではカバー４０の開閉に連動してスイッチ２６の開閉状態が切替わる構成としているが、スイッチ２６の切替え方法はこれに限らない。例えば、大容量給紙トレイＬＣＴ５６の引出ユニットの出し入れに連動してスイッチ２６の開閉状態が切替わる構成としてもよい。本実施の形態においては、カバー４０は、一例として、大容量給紙トレイＬＣＴ５６の引出ユニット（開閉部）とする。したがって、負荷回路２７は、一例として、電源を必要とする引出ユニットである。
【００２４】
省エネ（省エネルギー）信号２９は、ジョブ待機時の電力供給を制限するためにコントローラ３０から出力される制御信号である。省エネ信号２９は、スイッチ２６の開閉状態に応じて切替えられるとともに、コントローラ３０による制御で切替えられる。
【００２５】
まず、コントローラ３０は、スイッチ２６の開閉状態に応じて、省エネ信号２９をＨＩＧＨ状態とＬＯＷ状態とに切替えて出力する。例えば、カバー４０の開放に伴いスイッチ２６が開状態となると、コントローラ３０は、省エネ信号２９をＨＩＧＨ状態として１次側コンバータ１に出力する。一方、カバー４０が閉じられてスイッチ２６が閉状態となると、コントローラ３０は、省エネ信号２９をＬＯＷ状態として１次側コンバータ１に出力する。
【００２６】
他方、コントローラ３０による切替えについては、画像形成部２００のジョブ待機時間が所定時間以上となると、コントローラ３０は、省エネ信号２９をＨＩＧＨ状態として１次側コンバータ１に出力する。
【００２７】
また、コントローラ３０は、通信インタフェース３２や操作表示部３１からのジョブ入力があると、省エネ信号２９をＬＯＷ状態として１次側コンバータ１に出力する。
【００２８】
１次側コンバータ１は、ＨＩＧＨ状態の省エネ信号２９を入力すると、電力供給量を制限して省エネルギーモードの電力供給を行う。省エネルギーモードとしては、従来一般に用いられている数種類のモードを備えてよいが、本実施形態では、１次側コンバータ１を停止させて２次側への電力供給を停止する動作停止モード（休止モード）の構成例について説明する。
【００２９】
１次側コンバータ１は、ＬＯＷ状態の省エネ信号２９を入力すると、省エネルギーモードである場合には、省エネルギーモードを終了して、動作モード（通常モード、フルモード）での電力供給を再開する。
【００３０】
コントローラ３０は、電源管理装置１００、画像形成部２００の動作を統括的に制御する。例えばコントローラ３０は、上述したように、負荷出力を稼働させる動作モード（通常モード、フルモード）と、省エネルギーモードの一つである負荷出力を停止させる動作停止モード（休止モード）とを切替えて、１次側コンバータ１の動作を制御するコンバータ制御手段として機能する。
【００３１】
また、コントローラ３０は、電源管理装置１００の検出回路５が出力した放電検出信号を読み込んで、放電回路３の放電動作が完了したことを検出する放電完了検出手段として機能する。放電検出信号については後述する。
【００３２】
また、コントローラ３０は、スイッチ２６が閉状態となった際、または、動作停止モードから動作モードに切替わる際に、電源管理装置１００の放電回路３の放電動作が完了していれば、１次側コンバータ１の稼働を復帰させて電源供給動作を開始させる電源復帰手段として機能する。
【００３３】
次に、電源管理装置１００側の構成について説明する。図２に示すように、電源管理装置１００は、１次側コンバータ１、トランス２、放電回路３、コンデンサ２４を主に備えている。１次側コンバータ１はスイッチング出力を生成し、トランス２を介して２次側である画像形成部２００側にエネルギーの伝達、即ち、電力供給を行う。コンデンサ２４は、電圧を平滑化して直流電圧を生成し、生成した直流電圧を画像形成部２００側に供給する。
【００３４】
放電回路３は、制御回路４、検出回路５を備えている。制御回路４は、抵抗６、トランジスタ７、抵抗８、トランジスタ９、シャントレギュレータ１０、抵抗１１、抵抗１２、オペアンプ１３、抵抗１４、抵抗１５、ＦＥＴ（Field  Effect  Transistor）１６を備えている。
【００３５】
制御回路４においては、省エネ信号２９のＨＩＧＨ／ＬＯＷ状態に応じて、トランジスタ７のオン／オフ、トランジスタ９のオン／オフ、および、ＦＥＴ１６のオン／オフが切替わる。そして、これら各素子がオン状態となると、抵抗１５とＦＥＴ１６と抵抗１７とが直列に接続された放電経路がオン状態、即ち、放電可能状態となって、コンデンサ２４およびコンデンサ２８の放電が開始する。
【００３６】
ＦＥＴ１６は、ゲート信号をオペアンプ１３で制御された定電流放電回路として構成されており、オペアンプ１３のプラス端の電圧と抵抗１５とにより、ＦＥＴ１６のドレイン電流値が決定される。例えば、オペアンプ１３のプラス端の電圧が１．２Ｖであり、抵抗１５が０．５Ωである場合、流れる電流は１．２Ｖ／０．５Ω＝２．４Ａとなる。
【００３７】
検出回路５は、抵抗１７、１８、１９、２１、２２、２３とオペアンプ２０とを備えている。検出回路５は、ＦＥＴ１６のドレイン電流に応じて放電検出信号をコントローラ３０に出力する回路である。放電検出信号の電圧、即ち、Ｂ点における電圧は、ＦＥＴ１６のドレイン電流と、抵抗１７、１９、２１との値により決定される。
【００３８】
例えば、ＦＥＴ１６のドレイン電流が２．４Ａであり、抵抗１７が０．５Ω、抵抗１９が１０ｋΩ、抵抗２１が３０ｋΩである場合、放電検出信号の電圧、即ちＢ点における電圧は２．４Ａ×０．５Ω×３０ｋΩ／１０ｋΩ＝３．６Ｖとなる。検出回路５がこの電圧をコントローラ３０に出力することで、画像形成部２００は放電回路３の放電動作の状態を把握することが出来る。
【００３９】
すなわち、コントローラ３０は、図２のＢ点での電圧が所定値でない場合、即ち、放電検出信号がＬＯＷである場合、放電回路３による放電動作が停止していることを検出する。また、コントローラ３０は、図２のＢ点での電圧が所定値である場合、即ち、放電検出信号がＨＩＧＨである場合、放電回路３が放電動作中であることを検出する。
【００４０】
このように、本実施形態の電源管理装置１００は、放電回路３における電圧に基づいた放電検出信号を画像形成部２００のコントローラ３０に送出することで、放電回路３の放電状態を画像形成部２００側に通知する。放電検出信号としては、例えば図２のＢ点における電圧を用いることができる。尚、放電検出信号はＢ点における電圧値に限定されず、電源管理装置１００側の回路構成等によって当該電圧に係数を乗じられたり、当該電圧が２値化されたりする等の加工がなされてもよい。
【００４１】
次に、放電動作について、タイムチャートを用いて説明する。
【００４２】
図３は、カバー４０が開かれた際およびカバー４０が閉じられた際の動作を示すタイムチャートである。図３（ａ）は、スイッチ２６の開閉状態を示したタイムチャートである。図３（ｂ）は、省エネ信号２９のＨＩＧＨ／ＬＯＷ状態を示したタイムチャートである。図３（ｃ）は、放電検出信号のＨＩＧＨ／ＬＯＷ状態を示したタイムチャートである。図３（ｄ）は、図２のＡ点での電圧を示したタイムチャートである。図３（ｅ）は、図２の電流Ｉｏの状態を示したタイムチャートである。図３（ｆ）は、図２の放電電流Ｉｄｉｓの状態を示したタイムチャートである。
【００４３】
図３（ａ）に示すように、時刻ｔ０で画像形成部２００のカバー４０が開状態となると、スイッチ２６は開状態（ＯＰＥＮ）となり、図３（ｂ）に示すように省エネ信号２９はＨＩＧＨ状態となる。省エネ信号２９がＨＩＧＨ状態となると、１次側コンバータ１は停止する。また、省エネ信号２９がＨＩＧＨ状態となり各素子がオン状態となると、放電回路３は定電流放電を開始し、コンデンサ２４、コンデンサ２８の電荷を放電する。図３（ｆ）に示すように、抵抗１７を流れる放電電流Ｉｄｉｓは、時刻ｔ０で放電が開始し、時刻ｔ１で放電が終了するまで流れる。
【００４４】
また、図２中の電流Ｉｏは、１次側コンバータ１の駆動時（時刻ｔ０まで）とは逆の方向に流れるので、図３（ｅ）に示すように負値をとる。尚、定電流放電であるから、コンデンサ２４、２８側から放電回路３へ向かう電流Ｉｏは、放電期間中、一定の負値をとる。そして、図３（ｄ）に示すように、図２のＡ点における電圧は、時刻ｔ０で放電が開始されると低下し始め、時刻ｔ１で放電が完了した後はゼロに保たれる。
【００４５】
一方、図３（ｃ）に示すように、図２の検出回路５のＢ点における電圧、即ち、放電検出信号は、時刻ｔ０で放電が開始すると、ＨＩＧＨ状態が保たれ、時刻ｔ１で放電完了となると、ＬＯＷ状態となる。つまり本実施形態の検出回路５は、放電回路３が放電動作を行っている間、ＨＩＧＨ状態の放電検出信号をコントローラ３０に出力する。
【００４６】
そして、図３（ａ）に示すように、時刻ｔ２でカバー４０が閉じられてスイッチ２６が閉状態（ＣＬＯＳＥ）となると、図３（ｂ）に示すように、数ミリ秒の待ち時間（ウエイト時間、遅延時間）の後、時刻ｔ３において省エネ信号２９がＬＯＷ状態に切替わる。なお、上述のように、図３（ｃ）に示した放電検出信号がＬＯＷ状態に切り替わって、放電が完了した後であるから、本実施形態における待ち時間は、従来の待ち時間よりも短くてよい。あるいは、本実施形態では待ち時間自体を設けずともよい。
【００４７】
１次側コンバータ１は時刻ｔ３から充電動作を開始し、放電回路３は放電動作を停止する。時刻ｔ３からコンデンサ２４、２８への充電が開始するので、図３（ｄ）に示すように、Ａ点の電圧は増加し始めて、電源管理装置１００側から画像形成部２００の負荷回路２７側へと向かう電流Ｉｏ（図２参照）も、図３（ｅ）に示すように正値となる。本実施形態では、上述のようにコンデンサ２４、２８の放電は完了しているから、時刻ｔ３直後における突入電流を抑制することができる。
【００４８】
このように本実施形態では、放電検出信号を検出することにより、画像形成装置１０００は放電回路３において放電が完了したか否かを判定することができ、放電が完了すれば速やかに１次側コンバータ１を再駆動することができる。即ち、従来は放電動作の完了を検出していなかったので、放電動作が完了したと考えられる時間分、待ち時間を十分にとった後、１次側コンバータの再駆動を行っており、余分な時間をかけてしまっている場合もあった。これに対して本実施形態では、放電動作が完了していれば速やかに１次側コンバータ１を再駆動できるので、待ち時間を短くして、電源復帰動作の効率化を図ることができる。
【００４９】
次に、図４、図５を用いて、カバー４０が閉じられた場合の回路動作、および、カバー４０が開かれた場合の回路動作について説明する。尚、制御回路４、検出回路５の内部構成は図２と同様であるので、図４および図５ではその内部構成を省略して記載する。
【００５０】
図４は、カバー４０が閉じている場合の回路動作について説明する図である。カバー４０が閉じられると、スイッチ２６も閉回路状態（クローズ）となり、省エネ信号２９はＬＯＷ状態となる。スイッチ２６が閉回路状態で省エネ信号２９がＬＯＷ状態であると、１次側コンバータ１は動作し、放電回路３における放電動作は停止状態となる。電源管理装置１００は、１次側コンバータ１によりコンデンサ２４、２８を充電しながら、負荷回路２７に電力を供給する。この場合、放電電流Ｉｄｉｓは流れないので、図４中Ｂ点での電圧、即ち、放電検出信号はＬＯＷ状態となる。これによりコントローラ３０は、放電回路３による放電動作が停止していることを検出する。
【００５１】
図５は、カバー４０が開いている場合の回路動作について説明する図である。カバー４０が開かれると、スイッチ２６も開回路状態（オープン）となり、省エネ信号２９はＨＩＧＨ状態となる。スイッチ２６が開回路状態で省エネ信号２９がＨＩＧＨ状態であると、１次側コンバータ１は停止し、放電回路３は放電動作を開始する。図４で示した充電動作中にコンデンサ２４、２８に充電された電荷は、制御回路４の放電経路を通り、定電流で放電される。尚、放電経路とは、図２で示したＦＥＴ１６、抵抗１５および抵抗１７からなる経路である。放電経路には、放電電流Ｉｄｉｓが流れる。また、コンデンサ２８に溜まっている電荷は、スイッチ２６と並列に接続されたダイオード２５を通って放電される。放電電流Ｉｄｉｓが流れている間、図４中Ｂ点での電圧、即ち、放電検出信号はＨＩＧＨ状態となる。これによりコントローラ３０は、放電回路３が放電動作中であることを検出する。
【００５２】
以上のように本実施形態では、放電回路３が検出回路５を備え、検出回路５が放電状態を示す放電検出信号をコントローラ３０に出力するとした。これにより、コントローラ３０は、放電が完了したか否かを判定することができ、放電が完了した後に電源供給動作を安全に復帰させることができる。従って、放電が未完了のまま電源供給動作を復帰させてしまい、突入電流が発生するような状況を防止することができる。
【００５３】
次に、放電回路３の破損を検出する方法について、図６、図７を用いて説明する。本実施形態では、放電検出信号を利用して、放電回路３がショート（短絡）破損またはオープン（開放）破損していることを検出することができる。
【００５４】
まず、放電回路３がショート破損している場合の検出方法について説明する。
【００５５】
図６は、放電回路３がショート破損している場合の動作を示すタイムチャートである。放電回路３において、例えばＦＥＴ１６（図２参照）がショートしている場合、ＦＥＴ１６、抵抗１５、抵抗１７からなる放電経路が常時導通することとなる。この場合、スイッチ２６の開閉、省エネ信号２９のＨＩＧＨ／ＬＯＷ状態によらず放電回路３は放電状態となってしまう。
【００５６】
即ち、図６（ｆ）に示すように、放電電流Ｉｄｉｓはスイッチ２６の開閉、省エネ信号２９のＨＩＧＨ／ＬＯＷ状態によらず、流れ続ける。また、図６（ｃ）に示すように、検出回路５はコントローラ３０にＨＩＧＨ状態の放電検出信号を常に出力し続けることとなる。
【００５７】
従って、省エネ信号２９がＬＯＷ状態であるようなタイミング、即ち、放電回路３が破損していない正常状態においては放電動作が行われていないタイミングにおいて、放電検出信号がＨＩＧＨ状態のまま変化がなければ、放電回路３がショートしていることが分かる。
【００５８】
これを利用して、本実施形態では、コントローラ３０が、例えば電源管理装置１００の動作開始時に放電検出信号を読み込み、放電検出信号がＨＩＧＨ状態のまま変化がなければ、放電回路３のＦＥＴ１６がショート破損していると判定する。そして、コントローラ３０は、放電回路３のＦＥＴ１６がショート破損している旨、あるいは対応するエラー番号等を操作表示部３１に表示通知する。これにより、本実施形態では、放電回路３のショート破損を早期に発見することができる。
【００５９】
次に、放電回路３がオープン破損している場合の検出方法について説明する。
【００６０】
図７は、放電回路３がオープン破損している場合の動作を示すタイムチャートである。放電回路３において、例えばＦＥＴ１６（図２参照）がオープンして破損している場合、ＦＥＴ１６、抵抗１５、抵抗１７からなる放電経路は常時断線状態となり、スイッチ２６の開閉、省エネ信号２９のＨＩＧＨ／ＬＯＷ状態によらず放電回路３は放電動作を行うことができない。
【００６１】
即ち、図７（ｆ）に示すように、スイッチ２６の開閉、省エネ信号２９のＨＩＧＨ／ＬＯＷ状態によらず、放電電流Ｉｄｉｓはゼロを保つこととなる。そして、図７（ｃ）に示すように、検出回路５はコントローラ３０に常にＬＯＷ状態の放電検出信号を出力し続けることとなる。
【００６２】
従って、省エネ信号２９がＨＩＧＨ状態であるようなタイミング、即ち、放電回路３が破損していない正常状態においては放電動作が行われているタイミングにおいて、放電検出信号がＬＯＷ状態のまま変化がなければ、放電回路３がオープンとなっていることが分かる。
【００６３】
これを利用して本実施形態では、コントローラ３０が、例えば電源管理装置１００の動作停止時に放電検出信号を読み込み、放電検出信号がＬＯＷ状態のまま変化がなければ、放電回路３のＦＥＴ１６がオープンとなって破損していると判定する。そして、コントローラ３０は、放電回路３のＦＥＴ１６がオープン破損している旨、あるいは対応するエラー番号等を操作表示部３１に表示通知する。これにより本実施形態では、放電回路３のオープン破損を早期に発見することができる。
【００６４】
以上説明したとおり、上記実施形態によれば、放電回路３における電圧（即ち、放電検出信号）に基づいて、放電回路３における放電動作が完了したことを検出し、放電動作の完了を検出していれば、１次側コンバータ１による電源供給を復帰させる。従って、本実施形態によれば、従来のように放電に要する分の待ち時間を設定せずとも突入電流を防止することができるので、電源復帰動作の効率化を図ることができる。
【符号の説明】
【００６５】
１  １次側コンバータ
３  放電回路
４  制御回路
５  検出回路
１６  ＦＥＴ
２６  スイッチ
２９  省エネ信号
３０  コントローラ
３１  操作表示部
４０  カバー
１００  電源管理装置
２００  画像形成部
１０００  画像形成装置
【先行技術文献】
【特許文献】
【００６６】
【特許文献１】特開２００４−０４８８８８号公報
【特許文献２】特開２０１５−１４１５１５号公報
【特許文献３】特開２０１５−１６７４３０号公報
【図１】
2018023269.tif 000003
【図２】
2018023269.tif 000004
【図３】
2018023269.tif 000005
【図４】
2018023269.tif 000006
【図５】
2018023269.tif 000007
【図６】
2018023269.tif 000008
【図７】
2018023269.tif 000009